(57)【要約】【課題】ＦＡＸモデム及び音声コーデックを備えていない通信装置により、みなし音声方式のＦＡＸ通信を可能にする。【解決手段】通信装置１内のＦＡＸ制御部で生成されたＦＡＸ送信データ（画像、プロトコル）は、通信装置２内のＦＡＸモデム及び音声コーデックでＶｏＩＰデータ（Ｇ．７１１データ）に変換され、通信装置１に送られる。通信装置１では、ＶｏＩＰデータがＶｏＩＰパケット化され、ＩＰ網及びゲートウェイ及びＰＳＴＮを介してＧ３ＦＡＸ装置８に送られる。Ｇ３ＦＡＸから送信されたＦＡＸ信号は上記の経路を逆に辿ることで、通信装置１のＦＡＸ制御部に入力され、受信データ処理を受ける。【選択図】図２
2013005107.tif 000002
【特許請求の範囲】
【請求項１】
デジタル形式のＧ３ファクシミリ送信データを生成するファクシミリ送信データ生成部と、
デジタル形式のＧ３ファクシミリ受信データを処理するファクシミリ受信データ処理部と、
ＶｏＩＰデータパケットをＩＰ網に対して送信するＶｏＩＰデータパケット送信部と、
ＶｏＩＰデータパケットを前記ＩＰ網から受信するＶｏＩＰデータパケット受信部と、
デジタル形式のファクシミリデータとアナログ形式のファクシミリ信号との相互変換部、及びアナログ形式のファクシミリ信号とＶｏＩＰデータとの相互変換部を有する外部装置に対するデータ送受信部とを備え、
前記外部装置により前記ファクシミリ送信データから変換されたＶｏＩＰデータを前記ＶｏＩＰデータパケット送信部によりＶｏＩＰデータパケット化して送信し、前記ＶｏＩＰデータパケット受信部で受信されたＶｏＩＰデータパケット内のＶｏＩＰデータを前記外部装置によりデジタル形式のファクシミリ受信データに変換して、前記ファクシミリ受信データ処理部に入力する通信装置。
【請求項２】
請求項１に記載された通信装置において、
前記ファクシミリ送信データ、前記ファクシミリ受信データは、画像データ及びプロトコルデータである通信装置。
【請求項３】
請求項２に記載された通信装置において、
前記画像データは符号化されている通信装置。
【請求項４】
請求項１に記載された通信装置において、
Ｔ．３８パケット処理部を有し、前記ファクシミリ送信データ、前記ファクシミリ受信データはＴ．３８パケットデータである通信装置。
【請求項５】
送信画像ファイル生成部と、
受信画像ファイル処理部と、
ＶｏＩＰデータパケットをＩＰ網に対して送信するＶｏＩＰデータパケット送信部と、
ＶｏＩＰデータパケットを前記ＩＰ網から受信するＶｏＩＰデータパケット受信部と、
画像ファイルとデジタル形式のＧ３ファクシミリデータとの相互変換部、デジタル形式のファクシミリデータとアナログファクシミリ信号との相互変換部、及びアナログファクシミリ信号とＶｏＩＰデータとの相互変換部を有する外部装置に対するデータ送受信部とを備え、
前記外部装置により送信画像ファイルから変換されたＶｏＩＰデータを前記ＶｏＩＰデータパケット送信部によりＶｏＩＰデータパケット化して送信し、前記ＶｏＩＰデータパケット受信部で受信されたＶｏＩＰデータパケット内のＶｏＩＰデータを前記外部装置により受信画像ファイルに変換して、前記ファクシミリ受信データ処理部に入力する通信装置。
【請求項６】
請求項５に記載された通信装置において、
Ｔ．３７パケット処理部を有し、前記送信画像ファイル、前記受信画像ファイルはＴ．３７パケットデータである通信装置。
【請求項７】
ＶｏＩＰデータパケット化されたＧ３ファクシミリデータを送受信する機能を有する通信装置と、デジタル形式のファクシミリデータとアナログ形式のファクシミリ信号との相互変換部、及びアナログ形式のファクシミリ信号とＶｏＩＰデータとの相互変換部を有する外部装置とを有する通信システムであって、
前記通信装置は、デジタル形式のＧ３ファクシミリ送信データを生成するファクシミリ送信データ生成部と、デジタル形式のＧ３ファクシミリ受信データを処理するファクシミリ受信データ処理部と、ＶｏＩＰデータパケットをＩＰ網に対して送信するＶｏＩＰデータパケット送信部と、ＶｏＩＰデータパケットを前記ＩＰ網から受信するＶｏＩＰデータパケット受信部と、前記外部装置に対するデータ送受信部とを備え、
前記外部装置により前記ファクシミリ送信データから変換されたＶｏＩＰデータを前記ＶｏＩＰデータパケット送信部によりＶｏＩＰデータパケット化して送信し、前記ＶｏＩＰデータパケット受信部で受信されたＶｏＩＰデータパケット内のＶｏＩＰデータを前記外部装置によりデジタル形式のファクシミリ受信データに変換して、前記ファクシミリ受信データ処理部に入力し、
前記外部装置は、前記通信装置からのデジタル形式のＧ３ファクシミリ送信データをＧ３アナログファクシミリ信号に変換し、当該ファクシミリ信号をＶｏＩＰデータに変換して前記通信装置に送信し、前記通信装置からのＶｏＩＰデータをＧ３アナログファクシミリ信号に変換し、当該ファクシミリ信号をデジタル形式のＧ３ファクシミリ受信データに変換して前記通信装置に送信する通信システム。
【発明の詳細な説明】
【技術分野】
【０００１】
本発明は、ＩＰ（Internet Protocol）網経由でＧ３ファクシミリ装置と通信を行う機能を備えた通信装置及び通信システムに関する。
【背景技術】
【０００２】
従来のファクシミリ装置は、アナログモデムを用い、ＰＳＴＮ（Public Switched Telephone Networks：公衆電話交換回線網）経由でＩＴＵ−Ｔ（International Telecommunication Union Telecommunication Standardization Sector）勧告Ｔ．３０（以下、Ｔ．３０と言う）のプロトコルを用いて通信を行うＧ３ファクシミリ装置が主流であったが、近年、ＩＰ網経由でファクシミリ通信を行うための規格として、ＩＴＵ−Ｔ
勧告Ｔ．３７、Ｔ．３８（以下、Ｔ．３７、Ｔ．３８と言う）のプロトコルを用いて通信を行うインターネットファクシミリが実用化されている。
【０００３】
Ｔ．３７では、デジタル形式の画像データをＴＩＦＦ（Tag Image File Format）形式などのメールの添付ファイルとして送受信する。これはメールサーバを経由し蓄積型の通信を行う一般的な電子メールと同様の技術であり、メール送信にはＳＭＴＰ（Simple Mail Transfer Protocol）、メール受信にはＰＯＰ３（Post Office Protocol Version３）を使用し、蓄積型インターネットファクシミリと呼ばれている。
【０００４】
Ｔ．３８は、デジタル形式の画像データをパケット化し、ＩＰ網上でＩＰアドレスやホスト名を持つ機器間の通信をリアルタイムで行う規格である。Ｔ．３８では、呼制御にはＩＴＵ−Ｔ勧告Ｈ．３２３プロトコル又はＳＩＰ（Session Initiation Protocol）を使用し、機器間の通信プロトコルはＧ３ファクシミリ通信と同様のＩＴＵ−Ｔ勧告Ｔ．３０を使用しており、リアルタイム型インターネットファクシミリと呼ばれている。
【０００５】
また、アナログ信号であるＧ３ファクシミリ信号を音声信号とみなし、ＩＴＵ−Ｔ勧告Ｇ．７１１（ＰＣＭ）などの方式により符号化してＶｏＩＰ（Voice over Internet Protocol）データとし、ＩＰ網上のＶｏＩＰデータパケットとしてリアルタイムでやりとりするみなし音声方式のファクシミリも知られている。
【０００６】
例えば、特許文献１には、ファクシミリモデムと、音声信号符号化／復号化装置（以下、音声コーデックと言う）と、リアルタイム転送制御部と、ＴＣＰ／ＵＤＰ／ＩＰ制御部とを備え、ファクシミリモデムによりデジタル形式のＧ３ファクシミリデータとアナログファクシミリ信号（みなし音声信号）との相互変換を行い、音声コーデックによりアナログファクシミリ信号とＶｏＩＰデータとの相互変換を行うことで、みなし音声方式のファクシミリ通信を行うファクシミリ装置が記載されている。
【０００７】
しかしながら、特許文献１に記載されたファクシミリ装置では、みなし音声方式のファクシミリ通信、即ちＶｏＩＰデータパケット化されたＧ３ファクシミリデータを送受信するために、ファクシミリモデム、及び音声コーデック（ＶｏＩＰコーデック）が必要であるため、それらを備えていない通信装置、例えばインターネット専用のファクシミリ装置やスマートフォン等に適用することが出来ないという問題がある。
【発明の概要】
【発明が解決しようとする課題】
【０００８】
本発明は、このような問題を解決するためになされたものであり、その目的は、ファクシミリモデム、及び音声コーデックを備えていない通信装置により、みなし音声方式のファクシミリ通信を可能にすることである。
【課題を解決するための手段】
【０００９】
本発明の通信装置は、デジタル形式のＧ３ファクシミリ送信データを生成するファクシミリ送信データ生成部と、デジタル形式のＧ３ファクシミリ受信データを処理するファクシミリ受信データ処理部と、ＶｏＩＰデータパケットをＩＰ網に対して送信するＶｏＩＰデータパケット送信部と、ＶｏＩＰデータパケットを前記ＩＰ網から受信するＶｏＩＰデータパケット受信部と、デジタル形式のファクシミリデータとアナログ形式のファクシミリ信号との相互変換部、及びアナログ形式のファクシミリ信号とＶｏＩＰデータとの相互変換部を有する外部装置に対するデータ送受信部とを備え、前記外部装置により前記ファクシミリ送信データから変換されたＶｏＩＰデータを前記ＶｏＩＰデータパケット送信部によりＶｏＩＰデータパケット化して送信し、前記ＶｏＩＰデータパケット受信部で受信されたＶｏＩＰデータパケット内のＶｏＩＰデータを前記外部装置によりデジタル形式のファクシミリ受信データに変換して、前記ファクシミリ受信データ処理部に入力する通信装置である。
また、本発明の通信装置は、送信画像ファイル生成部と、受信画像ファイル処理部と、ＶｏＩＰデータパケットをＩＰ網に対して送信するＶｏＩＰデータパケット送信部と、ＶｏＩＰデータパケットを前記ＩＰ網から受信するＶｏＩＰデータパケット受信部と、画像ファイルとデジタル形式のＧ３ファクシミリデータとの相互変換部、デジタル形式のファクシミリデータとアナログファクシミリ信号との相互変換部、及びアナログファクシミリ信号とＶｏＩＰデータとの相互変換部を有する外部装置に対するデータ送受信部とを備え、前記外部装置により送信画像ファイルから変換されたＶｏＩＰデータを前記ＶｏＩＰデータパケット送信部によりＶｏＩＰデータパケット化して送信し、前記ＶｏＩＰデータパケット受信部で受信されたＶｏＩＰデータパケット内のＶｏＩＰデータを前記外部装置により受信画像ファイルに変換して、前記ファクシミリ受信データ処理部に入力する通信装置である。
また、本発明の通信システムは、ＶｏＩＰデータパケット化されたＧ３ファクシミリデータを送受信する機能を有する通信装置と、デジタル形式のファクシミリデータとアナログ形式のファクシミリ信号との相互変換部、及びアナログ形式のファクシミリ信号とＶｏＩＰデータとの相互変換部を有する外部装置とを有する通信システムであって、前記通信装置は、デジタル形式のＧ３ファクシミリ送信データを生成するファクシミリ送信データ生成部と、デジタル形式のＧ３ファクシミリ受信データを処理するファクシミリ受信データ処理部と、ＶｏＩＰデータパケットをＩＰ網に対して送信するＶｏＩＰデータパケット送信部と、ＶｏＩＰデータパケットを前記ＩＰ網から受信するＶｏＩＰデータパケット受信部と、前記外部装置に対するデータ送受信部とを備え、前記外部装置により前記ファクシミリ送信データから変換されたＶｏＩＰデータを前記ＶｏＩＰデータパケット送信部によりＶｏＩＰデータパケット化して送信し、前記ＶｏＩＰデータパケット受信部で受信されたＶｏＩＰデータパケット内のＶｏＩＰデータを前記外部装置によりデジタル形式のファクシミリ受信データに変換して、前記ファクシミリ受信データ処理部に入力し、前記外部装置は、前記通信装置からのデジタル形式のＧ３ファクシミリ送信データをＧ３アナログファクシミリ信号に変換し、当該ファクシミリ信号をＶｏＩＰデータに変換して前記通信装置に送信し、前記通信装置からのＶｏＩＰデータをＧ３アナログファクシミリ信号に変換し、当該ファクシミリ信号をデジタル形式のＧ３ファクシミリ受信データに変換して前記通信装置に送信する通信システムである。
【発明の効果】
【００１０】
本発明によれば、外部装置により、デジタル形式のファクシミリデータや画像ファイルとＶｏＩＰデータとの相互変換をＧ３アナログファクシミリ信号を介在させて行うことで、ファクシミリモデム及び音声コーデック（ＶｏＩＰコーデック）を備えていない通信装置により、みなし音声方式のファクシミリ通信が可能になる。
【図面の簡単な説明】
【００１１】
【図１】本発明の第１の実施形態の通信システムの使用環境を示す図である。
【図２】本発明の第１の実施形態の通信システムにおけるデータの流れを示す図である。
【図３】本発明の第２の実施形態の通信システムの使用環境を示す図である。
【図４】本発明の第２の実施形態の通信システムにおけるデータの流れを示す図である。
【図５】本発明の第３の実施形態の通信システムの使用環境を示す図である。
【図６】本発明の第３の実施形態の通信システムにおけるデータの流れを示す図である。
【図７】本発明の第４の実施形態の通信システムの使用環境を示す図である。
【図８】本発明の第４の実施形態の通信システムにおけるデータの流れを示す図である。
【図９】本発明の第５の実施形態の通信システムの使用環境を示す図である。
【発明を実施するための形態】
【００１２】
以下、本発明の実施形態について図面を参照して説明する。なお、以下の説明では、ファクシミリをＦＡＸと記載する。
【００１３】
［第１の実施形態］
〈通信システムの使用環境〉
図１は本発明の第１の実施形態の通信システムの使用環境を示す図である。本実施形態の通信システムは、ＬＡＮ（Local Area Network）３と、ＬＡＮ３に接続されたｎ（ｎは１以上の整数）個の第１の通信装置１−１〜１−ｎと、第２の通信装置２とからなる。第１の通信装置１−１〜１−ｎは同じ構成を持っているため、以下の説明では、特に必要な場合以外は第１の通信装置１とする。
【００１４】
ＬＡＮ３にはルーター４が接続され、ルーター４はＩＰ網５に接続される。ＩＰ網５上にはゲートウェイ６が設けられており、ゲートウェイ６にはＰＳＴＮ７を介してＧ３ＦＡＸ装置８が接続される。
【００１５】
第１の通信装置１は、バス１０と、それぞれがバス１０に接続されたシステム制御部１１、操作部１２、スキャナ１３、プリンタ１４、ＦＡＸ制御部１５、ＬＡＮＩ／Ｆ（インタフェース）１６、ＳＩＰ制御部１７、及びＶｏＩＰパケット処理部１８を備えている。ここで、ＦＡＸ制御部１５、ＳＩＰ制御部１７、及びＶｏＩＰパケット処理部１８はハードウェア又はソフトウェアにより構成されている。
【００１６】
システム制御部１１は、ＣＰＵ（Central Processing Unit）、ＲＯＭ（Read Only Memory）、ＲＡＭ（Random Access Memory）を備えており、この装置全体の制御を行う。
【００１７】
操作部１２は、ユーザがこの装置を操作する際に押下する各種キー、この装置の動作状態などを表示するディスプレイ等からなる。スキャナ１３は、原稿を読み取ってデジタル形式の画像データを生成する手段であり、プリンタ１４は、画像データに基づいて、用紙に画像を印刷する手段である。
【００１８】
ＦＡＸ制御部１５は、Ｇ３ＦＡＸ用プロトコルデータ（Ｔ．３０）の発生及び解析、並びに画像データの符号化（エンコード）／復号化（デコード）を行う。符号化形式はＭＨ（Modified Huffman）、ＭＲ（Modified READ）、ＭＭＲ（Modified Modified READ）等である。
【００１９】
ＬＡＮＩ／Ｆ１６はＬＡＮ３を介して、第２の通信装置２やルーター４と通信を行うためのネットワークＩ／Ｆである。ＳＩＰ制御部１７はＩＰ通信のための呼確立プロトコルの制御を行う。ＶｏＩＰパケット処理部１８は、ＶｏＩＰデータのパケット化、及びＶｏＩＰパケットのアンパケット化によるＶｏＩＰデータの抽出を行う。
【００２０】
第２の通信装置２は、バス２０と、それぞれがバス２０に接続されたシステム制御部２１、操作部２２、スキャナ２３、プリンタ２４、ＬＡＮＩ／Ｆ２５、音声コーデック２６、ＦＡＸモデム２７、及び画像コーデック２８を備えている。ここで、音声コーデック２６、ＦＡＸモデム２７、及び画像コーデック２８はハードウェア又はソフトウェアにより構成されている。
【００２１】
システム制御部２１、操作部２２、スキャナ２３、プリンタ２４、ＬＡＮＩ／Ｆ２５は、それぞれ第１の通信装置１における同名の部分と同じ構成及び機能を持っている。
【００２２】
音声コーデック２６は、アナログ音声信号（ここでは、みなし音声信号であるＧ３ＦＡＸ信号）をＧ．７１１データ（ＰＣＭデータ）にエンコードする機能、及びＧ．７１１データをアナログ音声信号にデコードする機能を持っている。つまり、アナログ音声信号とＧ．７１１データとの相互変換機能を備えている。
【００２３】
ＦＡＸモデム２７は、デジタル形式のＦＡＸデータ（ここでは、Ｇ３プロトコルデータ及び画像データ）をアナログ形式のＦＡＸ信号（ここでは、Ｇ３プロトコル信号及び画像信号）に変換する機能、及びアナログ形式のＦＡＸ信号をデジタル形式のＦＡＸデータに変換する機能を持っている。つまり、アナログ形式のＧ３ＦＡＸ信号とデジタル形式のＧ３ＦＡＸデータとの相互変換機能を備えている。画像コーデック２８は画像データの符号化（エンコード）／復号化（デコード）を行う。符号化形式はＭＨ、ＭＲ、ＭＭＲ等である。
【００２４】
ルーター４は、ＬＡＮ３上の通信装置とＩＰ網５との間でデータの中継を行う。ゲートウェイ６は、ＩＰ網５とＰＳＴＮ７との間のルーチング、プロトコル変換等を行う。
【００２５】
以上の構成において、第１の通信装置１、第２の通信装置２がそれぞれ本発明における通信装置、外部装置に対応する。また、ＦＡＸ制御部１５がファクシミリ送信データ生成部及びファクシミリ受信データ処理部に対応する。また、ＶｏＩＰパケット処理部１８及びＬＡＮＩ／Ｆ１６がＶｏＩＰデータパケット送信部、ＶｏＩＰデータパケット受信部に対応する。また、ＬＡＮＩ／Ｆ１６は外部装置に対するデータ送受信部に対応する。第１の通信装置１、第２の通信装置２は、それぞれのＬＡＮＩ／Ｆ１６，２５によりＬＡＮ３を介してＰ２Ｐ（Peer to Peer）接続される。
【００２６】
〈通信システムにおけるデータの流れ〉
図２は、本実施形態の通信システムにおけるデータの流れを示す図である。ここでは、第１の通信装置１がＧ３ＦＡＸ装置８との間でみなし音声方式のＦＡＸ通信を行う際のＦＡＸデータ（画像データ、プロトコルデータ）の流れを説明する。この図において、第１の通信装置１及び第２の通信装置２内の各処理を示すブロックにおいて、〈  〉内は処理の主体を示す。即ち例えばＳＩＰ処理１０１の主体はＳＩＰ制御部１７である。
【００２７】
まず第１の通信装置１では、ＳＩＰ制御部１７がＳＩＰ処理１０１を行うことで、ルーター４、ＩＰ網５、ゲートウェイ６及びＰＳＴＮ７経由で対向のＧ３ＦＡＸ装置８との間の通信路を確立し（シーケンスＳ１）、通信路確立後はＦＡＸデータ（プロトコルデータ、画像データ）のリアルタイムのやり取りでＦＡＸ通信を行う。
【００２８】
送信信号として、ＦＡＸ制御部１５のＦＡＸ送信データ生成処理１０２により生成されたデジタル形式のＦＡＸ送信データ（Ｇ３プロトコルデータ、画像データ）がＬＡＮＩ／Ｆ１６及びＬＡＮ３経由で第２の通信装置２に送られる（シーケンスＳ２）。
【００２９】
第２の通信装置２に送られたデジタル形式のＦＡＸ送信データはＦＡＸモデム２７によりアナログ形式のＦＡＸ送信信号に変換され、音声コーデック２６によりアナログ形式のＦＡＸ送信信号からＧ．７１１データ（ＶｏＩＰデータ）に変換される（Ｇ．７１１データ生成処理２０１）。
【００３０】
Ｇ．７１１データはＬＡＮＩ／Ｆ２５、ＬＡＮ３経由で第１の通信装置１に送られ、第１の通信装置１内のＬＡＮＩ／Ｆ１６からＶｏＩＰパケット処理部１８に送られる（シーケンスＳ３）。
【００３１】
第１の通信装置１では、ＶｏＩＰパケット処理部１８によりＧ．７１１データがＶｏＩＰパケット化され、ＬＡＮＩ／Ｆ１６、ＬＡＮ３、ルーター４、ＩＰ網５、ゲートウェイ６、及びＰＳＴＮ７経由で対向のＧ３ＦＡＸ装置８に送信される（処理１０３、シーケンスＳ４）。
【００３２】
次に受信信号の説明を行う。
Ｇ３ＦＡＸ装置８から送信されたＦＡＸ信号は、ＰＳＴＮ７、ゲートウェイ６、ＩＰ網５、ルーター４、ＬＡＮ３、及びＬＡＮＩ／Ｆ１６経由で第１の通信装置１のＶｏＩＰパケット処理部１８に送られる（シーケンスＳ５）。
【００３３】
ＶｏＩＰパケット処理部１８は、ＶｏＩＰパケットをアンパケット化してＧ．７１１データ（ＶｏＩＰデータ）を取り出し（処理１０４）、ＬＡＮＩ／Ｆ１６及びＬＡＮ３経由で第２の通信装置２に送る（シーケンスＳ６）。
【００３４】
第２の通信装置２では、Ｇ．７１１データが音声コーデック２６によりアナログ形式のＦＡＸ受信信号に変換され、アナログ形式のＦＡＸ受信信号がＦＡＸモデム２７によりデジタル形式のＦＡＸ受信データに変換される（ＦＡＸ受信データ生成処理２０２）。デジタル形式のＦＡＸ受信データは、ＬＡＮＩ／Ｆ２５、ＬＡＮ３経由で第１の通信装置１に送られ、第１の通信装置１内でＬＡＮＩ／Ｆ１６からＦＡＸ制御部１５に送られ（シーケンスＳ７）、所定の受信処理（プロトコルデータの解析、画像データの復号化）を受ける（ＦＡＸ受信データ処理１０５）。
【００３５】
以上の動作において、ＦＡＸ送信データは、スキャナ１３からの画像データをＦＡＸ制御部１５で圧縮（エンコード）したものである。また、ＦＡＸ受信データについては、ＦＡＸ制御部１５で伸長（デコード）して生の画像データに変換し、プリンタ１４で印字する。
【００３６】
このように本発明の第１の実施形態の通信システムによれば、第２の通信装置２により、ＦＡＸデータとＧ．７１１データとの相互変換を行うことで、ＦＡＸモデム及び音声コーデック（ＶｏＩＰコーデック）を備えていない第１の通信装置１により、みなし音声方式のＦＡＸ通信を行うことが出来る。このため、低価格の通信装置によりみなし音声方式のＦＡＸ通信が可能となる。
【００３７】
なお、以上の説明では、シーケンスＳ２及びＳ７で第１の通信装置１と第２の通信装置２との間で送受される画像データを圧縮符号化された形式のデータとしたが、生データとすることもできる。この場合、第２の通信装置２の画像コーデック２８により画像データの符号化／復号化を行う。この符号化はＧ．７１１データ生成処理２０１の前に行われ、復号化はＦＡＸ受信データ生成処理２０２の後に行われる。
【００３８】
［第２の実施形態］
〈通信システムの使用環境〉
図３は本発明の第２の実施形態の通信システムの使用環境を示す図である。この図において、図１（第１の実施形態）と同一又は対応部分には図１と同じ参照符号を付した。
【００３９】
本実施形態の通信システムは、第１の実施形態の通信システムにおける第１の通信装置１、第２の通信装置２に、それぞれＴ．３８パケット処理部１９、２９を付加したものであり、それ以外の構成は第１の実施形態と同じである。
【００４０】
Ｔ．３８パケット処理部１９、２９は、ＦＡＸデータに対するＴ．３８パケット化機能、及びＴ．３８パケットのアンパケット化によるパケット内のＦＡＸデータ抽出機能を持っている。
【００４１】
〈通信システムにおけるデータの流れ〉
図４は、本実施形態の通信システムにおけるデータの流れを示す図である。この図において、図２（第１の実施形態）と同一又は対応部分には図２と同じ参照符号を付した。
【００４２】
図４に示すように、本実施形態では、第１の通信装置１は、ＳＩＰ処理１０１による通信路確立（シーケンスＳ１）の後、第１の通信装置１は下記の処理１０６を行う。まずＦＡＸ制御部１５がデジタル形式のＦＡＸ送信データを生成する（ＦＡＸ送信データ生成処理）。次にはＴ．３８パケット処理部１９がデジタル形式のＦＡＸ送信データをパケット化する（Ｔ．３８パケット化処理）。つまり、処理１０６は、図２のＦＡＸ送信データ生成処理１０２の後にＴ．３８パケット化処理を付加したものである。処理１０６により生成されたＴ．３８パケットデータはＬＡＮＩ／Ｆ１６及びＬＡＮ３経由で第２の通信装置２に送られる（シーケンスＳ２ａ）。
【００４３】
第２の通信装置２に送られたＴ．３８パケットデータは下記の処理２０３を受ける。まずＴ．３８パケット処理部２９がアンパケット化によりＦＡＸ送信データを抽出する（ＦＡＸ送信データ抽出処理）。次いで第１の実施形態と同様に、ＦＡＸモデム２７によりアナログ形式のＦＡＸ送信信号に変換され、音声コーデック２６によりアナログ形式のＦＡＸ送信信号からＧ．７１１データに変換される（Ｇ．７１１データ生成処理）。つまり、処理２０３は、図２のＧ．７１１データ生成処理２０１の前にＦＡＸ送信データ抽出処理を付加したものである。
【００４４】
処理２０３により生成されたＧ．７１１データはＬＡＮＩ／Ｆ２５及びＬＡＮ３経由で第１の通信装置１に送られ、第１の通信装置１内でＬＡＮＩ／Ｆ１６からＶｏＩＰパケット処理部１８に送られる（シーケンスＳ３）。
【００４５】
送信信号に対する以後の処理（処理１０３）及び動作シーケンス（Ｓ４）は第１の実施形態と同じである。また、受信信号に対する処理１０４及び動作シーケンスＳ５、Ｓ６も第１の実施形態と同じである。
【００４６】
シーケンスＳ６により第２の通信装置２に送られたＧ．７１１データは下記の処理２０４を受ける。まず音声コーデック２６によりアナログ形式のＦＡＸ受信信号に変換され、アナログ形式のＦＡＸ受信信号がＦＡＸモデム２７によりデジタル形式のＦＡＸ受信データに変換される（ＦＡＸ受信データ生成処理）。次にデジタル形式のＦＡＸ受信データがＴ．３８パケット処理部２９によりパケット化される（処理２０４）。つまり、処理２０４は、図２のＦＡＸ受信データ生成処理２０２の後にＴ．３８パケット化処理を付加したものである。
【００４７】
Ｔ．３８パケットデータは、ＬＡＮＩ／Ｆ２５及びＬＡＮ３経由で第１の通信装置１に送られ、第１の通信装置１内でＬＡＮＩ／Ｆ１６からＴ．３８パケット処理部１９に送られる（シーケンスＳ７ａ）。Ｔ．３８パケット処理部１９は、Ｔ．３８パケットをアンパケット化してＦＡＸ受信データを抽出してＦＡＸ制御部１５に送り、ＦＡＸ制御部１５はＦＡＸ受信データに対して受信処理を施す（処理１０７）。つまり、処理１０７は、図２のＦＡＸ受信データ処理１０５の前にＴ．３８アンパケット化処理を付加したものである。
【００４８】
以上、本実施形態における第１の通信装置１がＧ３ＦＡＸ装置８との間でみなし音声方式のＦＡＸ通信を行う場合の動作について説明したが、この第１の通信装置１は、通信相手装置がＴ．３８に対応している場合は、Ｔ．３８パケット処理部１９の出力をＬＡＮＩ／Ｆ１６、ＬＡＮ３、ルーター４、及びＩＰ網５経由で通信相手装置に送信し、通信相手装置からのＴ．３８パケットを同じ経路で受信することが出来る。従って、本実施形態の通信システムは、Ｔ．３８に対応する通信装置を有効活用することが出来る。また、本実施形態の通信システムは、第１の実施形態と同じ動作、即ちＴ．３８パケット処理部を使用せずにみなし音声方式のＦＡＸ通信を行うことも出来る。
【００４９】
［第３の実施形態］
〈通信システムの使用環境〉
図５は本発明の第３の実施形態の通信システムの使用環境を示す図である。この図において、図１（第１の実施形態）と同一又は対応部分には図１と同じ参照符号を付した。
【００５０】
本実施形態の通信システムは、第１の実施形態の通信システムにおける第１の通信装置１からＦＡＸ制御部１５を取り除くとともに画像ファイル処理部１ａを付加し、第２の通信装置２から画像コーデック２８を取り除くとともにＦＡＸ制御部２ａ及び画像ファイル処理部２ｂを付加したものである。それ以外の構成は第１の実施形態と同じである。ここで、画像ファイル処理部１ａが本発明の送信画像ファイル生成部及び受信画像ファイル処理部に対応する。
【００５１】
画像ファイル処理部１ａ、２ｂは、ＦＡＸ通信用の画像ファイル（ＴＩＦＦ、ＰＤＦ等、イメージのファイル）を扱い、ビットマップイメージのファイル化機能、及びファイルのレンダリング（ビットマップイメージ化）機能を持っている。
【００５２】
〈通信システムにおけるデータの流れ〉
図６は、本実施形態の通信システムにおけるデータの流れを示す図である。この図において、図２（第１の実施形態）と同一又は対応部分には図２と同じ参照符号を付した。
【００５３】
図６に示すように、本実施形態では、第１の通信装置１は、ＳＩＰ処理１０１による通信路確立（シーケンスＳ１）の後、送信時は、スキャナ１３で生成されたデジタル形式の画像データを基に画像ファイル処理部１ａにより画像ファイルが生成され（画像ファイル生成処理１０８）、ＬＡＮＩ／Ｆ１６及びＬＡＮ３経由で第２の通信装置２に送られる（シーケンスＳ２ｂ）。
【００５４】
第２の通信装置２に送られた画像ファイルは以下の処理２０５を受ける。まず画像ファイル処理部２ｂによりレンダリングされてビットマップの画像データとなる（画像データ生成処理）。次にＦＡＸ制御部２ａがビットマップの画像データの符号化（ＭＨ、ＭＲ、ＭＭＲ等）又はプロトコルデータの生成を行う（ＦＡＸ送信データ生成処理）。次いで第１の実施形態と同様に、ＦＡＸモデム２７がＦＡＸ送信データをアナログ形式のＦＡＸ送信信号に変換し、音声コーデック２６がアナログ形式のＦＡＸ送信信号をＧ．７１１データに変換する。つまり、処理２０５は、図２のＧ．７１１データ生成処理２０１の前に画像データ生成処理及びＦＡＸ送信データ生成処理を付加したものである。
【００５５】
処理２０５により生成されたＧ．７１１データはＬＡＮＩ／Ｆ２５及びＬＡＮ３経由で第１の通信装置１に送られ、第１の通信装置１内でＬＡＮＩ／Ｆ１６からＶｏＩＰパケット処理部１８に送られる（シーケンスＳ３）。
【００５６】
送信信号に対する以後の処理（処理１０３）及び動作シーケンス（Ｓ４）は第１の実施形態と同じである。また、受信信号に対する処理１０４及び動作シーケンスＳ５、Ｓ６も第１の実施形態と同じである。
【００５７】
シーケンスＳ６により第２の通信装置２に送られたＧ．７１１データ下記の処理２０６を受ける。まず音声コーデック２６によりアナログ形式のＦＡＸ信号に変換され、アナログ形式のＦＡＸ受信信号がＦＡＸモデム２７によりデジタル形式のＦＡＸ受信データに変換され、デジタル形式のＦＡＸ受信データに対してＦＡＸ制御部２ａによりプロトコルデータの解析及び画像データの復号化が行われ、画像ファイル処理部２ｂにより画像データが画像ファイル化される。つまり、処理２０６は、図２のＦＡＸ受信データ生成処理２０２の後にＦＡＸ受信データ処理及び画像ファイル生成処理を付加したものである。
【００５８】
処理２０６により生成された画像ファイルは、ＬＡＮＩ／Ｆ２５及びＬＡＮ３経由で第１の通信装置１に送られ、第１の通信装置１内でＬＡＮＩ／Ｆ１６から画像ファイル処理部１ａに送られる（シーケンスＳ７ｂ）。画像ファイル処理部１ａは、送られてきた画像ファイルをレンダリングし、ビットマップ化する。このビットマップデータは、例えばプリンタ１４に送られ、印字される。
【００５９】
本実施形態の通信システムによれば、第１の通信装置１と第２の通信装置２との間で送受するデータが画像ファイルであるため、第１の通信装置１にはＦＡＸ制御部が不要となる。このため、第１の通信装置１の構成を一般的な通信端末やスマートフォンに準じたものに変更する（スキャナ１３及びプリンタ１４の除去、カメラの付加等）ことで、それらの通信装置でもみなし音声方式のＦＡＸ通信が可能となる。
【００６０】
［第４の実施形態］
〈通信システムの使用環境〉
図７は本発明の第４の実施形態の通信システムの使用環境を示す図である。この図において、図５（第３の実施形態）と同一又は対応部分には図５と同じ参照符号を付した。
【００６１】
本実施形態の通信システムは、第３の実施形態の通信システムにおける第１の通信装置１、第２の通信装置２に、それぞれＴ．３７パケット処理部１ｂ、２ｃを付加したものであり、それ以外の構成は第３の実施形態と同じである。
【００６２】
Ｔ．３７パケット処理部１ｂ、２ｃは、ＦＡＸデータに対するＴ．３７パケット化機能、及びＴ．３７パケットのアンパケット化によるパケット内のＦＡＸデータ抽出機能を持っている。
【００６３】
〈通信システムにおけるデータの流れ〉
図８は、本実施形態の通信システムにおけるデータの流れを示す図である。この図において、図６（第３の実施形態）と同一又は対応部分には図６と同じ参照符号を付した。
【００６４】
図８に示すように、本実施形態では、第１の通信装置１は、ＳＩＰ処理１０１による通信路確立（シーケンスＳ１）の後、第１の通信装置は下記の処理１１０を行う。まず画像ファイル処理部１ａが画像ファイルを生成し（画像ファイル生成処理）、次にＴ．３７パケット処理部１ｂが画像ファイルをパケット化する（Ｔ．３７パケット化処理）。つまり、処理１１０は、図６の画像ファイル生成処理１０８の後にＴ．３７パケット化処理を付加したものである。Ｔ．３７パケットデータはＬＡＮＩ／Ｆ１６及びＬＡＮ３経由で第２の通信装置２に送られる（シーケンスＳ２ｃ）。
【００６５】
第２の通信装置２に送られたＴ．３７パケットデータは以下の処理２０７を受ける。まずＴ．３７パケット処理部２ｃがアンパケット化により画像ファイルを抽出する（画像ファイル抽出処理）。次いで第３の実施形態と同様に、画像ファイル処理部２ｂによる画像データ生成処理、ＦＡＸ制御部２ａによるＦＡＸ送信データ生成処理、ＦＡＸモデム２７及び音声コーデック２６によるＧ．７１１データ生成処理を受ける。つまり、処理２０７は、図６の処理２０５の前にＴ．３７パケットのアンパケット化による画像データ抽出処理を付加したものである。
【００６６】
処理２０７により生成されたＧ．７１１データはＬＡＮＩ／Ｆ２５及びＬＡＮ３経由で第１の通信装置１に送られ、第１の通信装置１内でＬＡＮＩ／Ｆ１６からＶｏＩＰパケット処理部１８に送られる（シーケンスＳ３）。
【００６７】
送信信号に対する以後の処理（処理１０３）及び動作シーケンス（Ｓ４）は第３の実施形態と同じである。また、受信信号に対する処理１０４及び動作シーケンスＳ５、Ｓ６も第３の実施形態と同じである。
【００６８】
シーケンスＳ６により第２の通信装置２に送られたＧ．７１１データは下記の処理２０８を受ける。まず音声コーデック２６によりアナログ形式のＦＡＸ受信信号に変換され、次にアナログ形式のＦＡＸ受信信号がＦＡＸモデム２７によりデジタル形式のＦＡＸ受信データに変換される（ＦＡＸ受信データ生成処理）。デジタル形式のＦＡＸ受信データに対してＦＡＸ制御部２ａによりプロトコルデータの解析及び画像データの復号化が行われ（ＦＡＸ受信データ処理）、画像ファイル処理部２ｂにより画像データが画像ファイル化される（画像ファイル生成処理）。次いで画像ファイルがＴ．３７パケット処理部２ｃによりパケット化される（Ｔ．３７パケット化処理）。つまり、処理２０８は、図６の処理２０６の後にＴ．３７パケット化処理を付加したものである。
【００６９】
Ｔ．３７パケット化された画像ファイル（Ｔ．３７パケットデータ）は、ＬＡＮＩ／Ｆ２５及びＬＡＮ３経由で第１の通信装置１に送られ、第１の通信装置１内でＬＡＮＩ／Ｆ１６からＴ．３７パケット処理部１ｂに送られる（シーケンスＳ７ｃ）。以後下記の処理１１１を行う。Ｔ．３７パケット処理部１ｂはＴ．３７パケットをアンパケット化して画像ファイルを抽出し（Ｔ．３７アンパケット化処理）、画像ファイル処理部１ａは画像ファイルをレンダリングし、ビットマップ化する（画像データ生成処理）。つまり、処理１１１は、図６の画像データ生成処理１０９の前にＴ．３７アンパケット化処理を付加したものである。
【００７０】
本実施形態の通信システムによれば、第１の通信装置１と第２の通信装置２との間で送受するデータがＴ．３７パケットであるため、第３の実施形態と同様、第１の通信装置１にはＦＡＸ制御部が不要となる。このため、第１の通信装置１の構成を一般的な通信端末やスマートフォンに準じたものに変更することで、それらの通信装置でもみなし音声方式のＦＡＸ通信が可能となる。
【００７１】
また、この第１の通信装置１は、通信相手装置がＴ．３７に対応している場合は、Ｔ．３７パケット処理部１ｂの出力をＬＡＮＩ／Ｆ１６、ＬＡＮ３、ルーター４、及びＩＰ網５経由で通信相手装置に送信し、通信相手装置からのＴ．３７パケットを同じ経路で受信することが出来る。従って、本実施形態の通信システムは、Ｔ．３７に対応する通信装置を有効活用することが出来る。また、本実施形態の通信システムは、第３の実施形態と同じ動作、即ちＴ．３７パケット処理部を使用せずにみなし音声方式のＦＡＸ通信を行うことも出来る。
【００７２】
［第５の実施形態］
図９は本発明の第５の実施形態の通信システムの使用環境を示す図である。この図において、図３（第２の実施形態）と同一又は対応部分には図３と同じ参照符号を付した。
【００７３】
本実施形態の通信システムは、第２の実施形態の通信システムにおける第１の通信装置１に無線ＰＡＮ（Personal Area Network）Ｉ／Ｆ１ｃを付加するとともに、第２の通信装置２におけるＬＡＮＩ／Ｆ２５を無線ＰＡＮＩ／Ｆ２ｄに代えたものである。無線ＰＡＮとしては、ＵＷＢ（Ultra Wide Band）、Bluetooth（登録商標）等がある。
【００７４】
本実施形態の通信システムでは、第１の通信装置１と第２の通信装置２との間のデータ送受をそれぞれの無線ＰＡＮＩ／Ｆ１ｃ，２ｄ間のアドホック通信で行う。それ以外は第２の実施形態と同じである。
【００７５】
なお、以上説明した第１〜第４の実施形態では、第１の通信装置１−１〜１−ｎが同じ構成を持つシステムとしたが、異なる構成の第１の通信装置、例えば第１の実施形態（図１）の第１の通信装置１−１と、第２の実施形態（図３）の第１の通信装置１−１が混在するシステムとすることも出来る。また、第４の実施形態（図７）の第１の通信装置１−ｎを第２の実施形態（図３）の第１の通信装置１−ｎに代えたシステムとすることも出来る。
【符号の説明】
【００７６】
１−１〜１−ｎ…第１の通信装置、２…第２の通信装置、３…ＬＡＮ、４…ルーター、５…ＩＰ網、６…ゲートウェイ、７…ＰＳＴＮ、８…Ｇ３ＦＡＸ装置、１５，２ａ…ＦＡＸ制御部、１６，２５…ＬＡＮＩ／Ｆ、１７…ＳＩＰ制御部、１８…ＶｏＩＰパケット処理部、１９，２９…Ｔ．３８パケット処理部、１ａ，２ｂ…画像ファイル処理部、１ｂ，２ｃ…Ｔ．３７パケット処理部、１ｃ，２ｄ…無線ＰＡＮＩ／Ｆ、２６…音声コーデック、２７…ＦＡＸモデム、２８…画像コーデック。
【先行技術文献】
【特許文献】
【００７７】
【特許文献１】特許第４０５９１１３公報
【図１】
2013005107.tif 000003
【図２】
2013005107.tif 000004
【図３】
2013005107.tif 000005
【図４】
2013005107.tif 000006
【図５】
2013005107.tif 000007
【図６】
2013005107.tif 000008
【図７】
2013005107.tif 000009
【図８】
2013005107.tif 000010
【図９】
2013005107.tif 000011